(57)【要約】【課題】光学系の大型化を招いたり、光学系に設計上の余分な負担を与えたりすることなく、遮光マスクによって発生する枠画像の形状に生じる歪みを低減する。【解決手段】光源部と、画像信号に応じた強度の光束であるレーザ光を光源部から出射させる制御部と、光源部から出射されたレーザ光を２次元走査する走査部と、走査部で走査されたレーザ光を投射対象に投射する投射部と、走査部と投射部との間に形成される像面位置に設けられ、走査部によって走査されたレーザ光によって形成される像の周囲を囲む遮光マスク５０と、を備え、遮光マスク５０による像の周囲を囲む囲繞形状は、遮光マスク５０から投射対象までの光学系によって発生する光学的な歪方向と逆向きに歪ませた形状とした。【選択図】図６
2011191454.tif 000002
【特許請求の範囲】
【請求項１】
光源部と、
画像信号に応じた強度の光束を前記光源部から出射させる制御部と、
前記光源部から出射された光束を２次元走査する走査部と、
前記走査部で走査された光束を投射対象に投射する投射部と、
前記走査部と前記投射部との間に形成される像面位置に設けられ、前記走査部によって走査された光束によって形成される像の周囲を囲む遮光マスクと、を備え、
前記遮光マスクによる前記像の周囲を囲む囲繞形状は、当該遮光マスクから前記投射対象までの光学系によって発生する光学的な歪方向と逆向きに歪ませた形状とした
ことを特徴とする画像表示装置。
【請求項２】
前記制御部は、前記像面位置で形成される像が、前記遮光マスクから前記投射対象までの光学系によって発生する光学的な歪方向と逆向きに歪ませた形状となるような前記画像信号を生成することを特徴とする請求項１に記載の画像表示装置。
【請求項３】
前記制御部は、前記像面位置で形成される像が、前記光学的な歪を完全に相殺できない場合の前記遮光マスクの囲繞形状に沿う形状となるような前記画像信号を生成することを特徴とする請求項１又は請求項２に記載の画像表示装置。
【請求項４】
前記制御部は、前記光源部からの光束の出射を制御して、前記像面位置で形成される像の位置を変更する
ことを特徴とする請求項１〜３のいずれか１項に記載の画像表示装置。
【請求項５】
前記投射対象を、観察者の少なくとも一方の眼の網膜とし、
前記走査部によって走査された光束を、前記投射部により前記網膜に入射して、画像を表示することを特徴とする請求項１〜４のいずれか１項に記載の画像表示装置。
【発明の詳細な説明】
【技術分野】
【０００１】
本発明は、光源部から出射した光束を走査して投射対象に投射する走査型の画像表示装置に関する。
【背景技術】
【０００２】
従来、画像信号に応じた強度の光束を出射する光源部と、この光源部から出射された光束を２次元走査する走査部とを有し、この走査部により走査された光束を投射部から投射対象に投射して画像を表示する光走査型の画像表示装置が知られている。例えば、投射対象を観察者の眼の網膜とした画像表示装置や投影対象をスクリーンとしたスクリーン走査型の画像表示装置が知られている。
【０００３】
この種の画像表示装置では、走査部の走査位置に応じた光束を光源部から出射させて、画像を表示しており、走査部の走査状態を精度良く把握しておく必要がある。そのため、検査用光束を光源部から出射させて走査部で走査させ、この検査用光束が入射する位置に配置された光検出手段による前記検査用光束の検出タイミングに基づき、走査部の走査状態を検出している（特許文献１参照）。
【先行技術文献】
【特許文献】
【０００４】
【特許文献１】特開２００９−８６３７１号公報
【発明の概要】
【発明が解決しようとする課題】
【０００５】
上記従来の画像表示装置では、走査部の走査状態を、画像を表示中にも確実に検出する必要がある。そのため、走査部による走査位置が、画像信号に応じた強度の光束を走査する有効走査範囲ではないときに、検査用光束を光源部から出射させている。
【０００６】
そのため、有効走査範囲外で走査された走査用光束が投射部から出射されないように、走査部と投射部との間に形成される中間像面位置に遮光マスクが設けられている。図１８に示すように、遮光マスク１５０は、有効走査範囲で走査された光束を通過させる開口部１５１と、有効走査範囲外で走査された検査用光束を遮光する遮光部１５２とにより構成され、有効走査範囲で走査された光束によって形成される表示画像１５３の周囲を囲む形状を有する。
【０００７】
ところが、遮光マスク１５０によって、最終像面位置にある投射対象において、有効走査範囲で走査された光束により形成される表示画像の他、枠画像が表示されてしまう（図４、表示画像７５、枠画像７６参照）。そして、表示画像７５と枠画像７６との間の隙間領域７７の明度と、枠画像７６の明度とが異なることから、これらの間の境界７６ａが視認されてしまう。この枠画像７６が発生する原因は、必ずしも明らかではないが、中間像面位置の遮光マスク１５０が中間像面位置と最終像面位置との間にある光学系を通して見えてしまうことが主な原因であると考えられる。
【０００８】
光学系を構成するレンズには収差等があるため、光学系を介して表示される画像は歪む場合がある。このレンズの収差等による画像の歪みは、画像の中心部分よりも外側の部分で生じやすい。このため、枠画像７６は、表示画像７５の形状に対して歪むことがある（図５参照）。このような場合には、観察者は、表示画像７５を視認するときにこの枠画像７６（特に、境界７６ａ）により不快感等を抱く可能性がある。この枠画像７６の歪みは、遮光マスク１５０の後段の光学系によって生じる歪みである。そのため、表示画像７５の歪みを低減するように、遮光マスク１５０の後段の光学系を構成するレンズの収差等を抑えた設計等を行うことで、枠画像７６の歪みを抑制することが可能である。
【０００９】
しかし、光学系によって遮光マスクによる枠画像の歪みを抑制することは、歪みを抑制する対象範囲が広くなるため、光学系の大型化を招いたり、高価な光学系の使用によりコスト的な問題を生じさせたりして、画像表示装置の小型化やコスト低減を阻害する原因となってしまう。また、歪みを抑制する対象範囲が広くなると、光学的な特性にかかる設計上の負担が大きくなる。光学的な特性にかかる設計上の負担が大きくなると、例えば解像度等の他の光学的な特性を確保することが難しくなり、所望の光学的な特性を得ることが困難となる。このように、表示画像より外側の枠画像の歪みまで抑えた光学系の設計は容易ではない。
【００１０】
本発明は、上記のような事情に鑑みてなされたものであって、光学系の大型化を招いたり、光学系に設計上の余分な負担を与えたりすることなく、遮光マスクによって発生する枠画像の形状に生じる歪みを低減することができる画像表示装置を提供する。
【課題を解決するための手段】
【００１１】
上記課題を解決するために、請求項１に記載の画像表示装置は、光源部と、画像信号に応じた強度の光束を前記光源部から出射させる制御部と、前記光源部から出射された光束を２次元走査する走査部と、前記走査部で走査された光束を投射対象に投射する投射部と、前記走査部と前記投射部との間に形成される像面位置に設けられ、前記走査部によって走査された光束によって形成される像の周囲を囲む遮光マスクと、を備え、前記遮光マスクによる前記像の周囲を囲む囲繞形状は、当該遮光マスクから前記投射対象までの光学系によって発生する光学的な歪方向と逆向きに歪ませた形状としたものである。
【００１２】
また、請求項２に記載の画像表示装置は、請求項１に記載の画像表示装置において、前記制御部は、前記像面位置で形成される像が、前記遮光マスクから前記投射対象までの光学系によって発生する光学的な歪方向と逆向きに歪ませた形状となるような前記画像信号を生成するものである。
【００１３】
また、請求項３に記載の画像表示装置は、請求項１又は請求項２に記載の画像表示装置において、前記制御部は、前記像面位置で形成される像が、前記光学的な歪を完全に相殺できない場合の前記遮光マスクの囲繞形状に沿う形状となるような前記画像信号を生成するものである。
【００１４】
また、請求項４に記載の画像表示装置は、請求項１〜３のいずれか１項に記載の画像表示装置において、前記制御部は、前記光源部からの光束の出射を制御して、前記像面位置で形成される像の位置を変更するものである。
【００１５】
また、請求項５に記載の画像表示装置は、請求項１〜４のいずれか１項に記載の画像表示装置において、前記投射対象を、観察者の少なくとも一方の眼の網膜とし、前記走査部によって走査された光束を、前記投射部により前記網膜に入射して、画像を表示するものである。
【発明の効果】
【００１６】
本発明によれば、光学系の大型化を招いたり、光学系に設計上の余分な負担を与えたりすることなく、遮光マスクによって発生する枠画像の形状に生じる歪みを低減することができる。
【図面の簡単な説明】
【００１７】
【図１】本発明の一実施形態に係るＲＳＤの全体的な構成を示す図。
【図２】本発明の一実施形態に係るＲＳＤの制御ブロック図。
【図３】本発明の一実施形態に係る遮光マスクの構成を示す正面図。
【図４】本発明の一実施形態に係る枠画像の一例を示す図。
【図５】本発明の一実施形態に係る枠画像の歪みの一例を示す図。
【図６】本発明の一実施形態に係る遮光マスクの形状例を示す図。
【図７】本発明の一実施形態に係る枠歪み量の算出方法についての説明図。
【図８】本発明の一実施形態に係る枠歪み量のデータの一例を示す図。
【図９】本発明の一実施形態に係る枠歪み量の算出方法についてのフロー図。
【図１０】本発明の一実施形態に係る枠画像の歪み形状とそれに対応する遮光マスクの歪み形状の一例を示す図。
【図１１】本発明の一実施形態に係る枠画像の歪み形状とそれに対応する遮光マスクの歪み形状の一例を示す図。
【図１２】本発明の一実施形態に係る枠画像及び表示画像の歪みの一例を示す図。
【図１３】本発明の一実施形態に係る表示画像の歪み形状の一例を示す図。
【図１４】本発明の一実施形態に係る枠画像の歪みが残っている状態を示す図。
【図１５】本発明の一実施形態に係る表示画像の歪み形状の一例を示す図。
【図１６】本発明の一実施形態に係る表示画像の遮光マスクに対するずれを示す図。
【図１７】本発明の一実施形態に係る表示画像の遮光マスクに対するずれが補正された状態を示す図。
【図１８】一般的な遮光マスクの構成を示す正面図。
【発明を実施するための形態】
【００１８】
本発明は、走査型の画像表示装置において中間像面が形成される位置に配置される遮光マスクを、遮光マスクにより生じる額縁状の枠画像について生じる光学的な歪みを打ち消すような形状とすることにより、枠画像の歪曲にともなう画像の視覚的な歪みを軽減しようとするものである。以下、本発明の実施の形態について説明する。
【００１９】
［ＲＳＤの構成］
まず、本実施形態に係る画像表示装置としてのＲＳＤ１の構成について、図１を用いて説明する。本実施形態に係るＲＳＤ１は、投影対象を、観察者の少なくとも一方の眼１０の網膜１０ｂとし、光束としてのレーザ光を走査する走査部によって走査したレーザ光を、レーザ光を投射する投射部により網膜１０ｂに入射して、画像を表示する。つまり、ＲＳＤ１は、微弱な光を高速で走査しながら観察者の網膜１０ｂに照射することで、網膜１０ｂ上に走査された光の残像を映像として観察者に認識させる網膜走査型の画像表示装置である。
【００２０】
図１に示すように、ＲＳＤ１は、コントロールユニット２と、投影ユニット３とを備える。コントロールユニット２は、画像信号に応じた強度のレーザ光を画像光として出射する。コントロールユニット２から出射された画像光は、光ファイバケーブル４により、投影ユニット３に伝送される。
【００２１】
コントロールユニット２は、記憶部を内蔵し、この記憶部に記憶されたコンテンツ情報等に基づいて画像信号を形成する。コントロールユニット２は、形成した画像信号に応じた強度のレーザ光を画像光として光ファイバケーブル４へ出射する。
【００２２】
投影ユニット３は、光ファイバケーブル４により伝送されてきた画像光を、観察者が表示画像として認識可能とするために走査する。投影ユニット３は、コントロールユニット２においてＲ（赤色）、Ｇ（緑色）、Ｂ（青色）の色毎に強度変調された画像光を、２次元方向に走査し、観察者の眼１０に入射させる。
【００２３】
ＲＳＤ１の電気的構成及び光学的構成について具体的に説明する。コントロールユニット２は、制御部５と、光源ユニット６とを有する。光源ユニット６は、光源部７と、駆動信号供給回路８とを含む。
【００２４】
制御部５は、ＲＳＤ１の各部を統括的に制御する。制御部５は、予め記憶されている制御プログラムにしたがって所定の処理を実行することにより、ＲＳＤ１を制御する。制御部５は、データ通信用のバスにより接続されるＣＰＵ、フラッシュメモリ、ＲＡＭ、ＶＲＡＭ、複数の入出力インターフェース等の各種機能部分を有し、バスを介して各種情報の送受信を行う。
【００２５】
制御部５は、入出力端子等を介して外部接続された図示しない機器類から供給される画像データや、予め記憶されたコンテンツ情報に基づく画像データ等の各種画像データの入力を受ける。制御部５は、入力された画像データに基づいて、画像信号Ｓを生成する。制御部５により生成された画像信号Ｓは、駆動信号供給回路８に送られる。つまり、制御部５は、画像信号Ｓに応じた強度のレーザ光を光源部７から出射させる。
【００２６】
駆動信号供給回路８は、画像信号Ｓに応じた駆動信号を生成する駆動信号生成部として機能する。駆動信号供給回路８は、画像信号Ｓに基づいて、表示画像を形成するための要素となる各信号を画素単位で生成する。
【００２７】
光源部７は、駆動信号供給回路８により生成された駆動信号に応じた強度の光束としてのレーザ光を出力する。光源部７は、赤色レーザ光を生成して出射する赤色レーザ部１１と、緑色レーザ光を生成して出射する緑色レーザ部１２と、青色レーザ光を生成して出射する青色レーザ部１３とを有する。
【００２８】
各色のレーザ部１１，１２，１３は、各色のレーザ光を発生させるレーザと、このレーザを駆動させるためのレーザドライバとを含む。各色のレーザ部１１，１２，１３を構成するレーザは、例えば、半導体レーザや高調波発生機構付き固体レーザである。各色のレーザ部１１，１２，１３のレーザドライバは、駆動信号供給回路８から入力される駆動信号に基づき、それぞれ対応するレーザに駆動電流を供給する。そして、各色のレーザ部１１，１２，１３のレーザは、レーザドライバからレーザに供給する駆動電流に応じて強度変調されたレーザ光を出射する。
【００２９】
したがって、赤色レーザ部１１は、駆動信号供給回路８からの駆動信号１４Ｒに基づき、レーザドライバによってレーザを駆動させ、赤色のレーザ光を出射する。また、緑色レーザ部１２は、駆動信号供給回路８からの駆動信号１４Ｇに基づき、レーザドライバによってレーザを駆動させ、緑色のレーザ光を出射する。また、青色レーザ部１３は、駆動信号供給回路８からの駆動信号１４Ｂに基づき、レーザドライバによってレーザを駆動させ、青色のレーザ光を出射する。なお、各色のレーザ部１１，１２，１３を構成するレーザが半導体レーザである場合は、駆動電流を直接変調してレーザ光の強度変調を行うことができるが、レーザが固体レーザである場合は、各レーザそれぞれに外部変調器を備えてレーザ光の強度変調を行う必要がある。
【００３０】
光源部７は、各色のレーザ部１１，１２，１３により出射したレーザ光を、合波してから、光ファイバケーブル４に出射する。このため、光源部７は、コリメート光学系１６，１７，１８と、ダイクロイックミラー１９，２０，２１と、結合光学系２２とを有する。
【００３１】
各色のレーザ部１１，１２，１３から出射した各色のレーザ光は、それぞれコリメート光学系１６，１７，１８によって平行光化された後、それぞれ対応するダイクロイックミラー１９，２０，２１に入射する。各ダイクロイックミラー１９，２０，２１に入射する赤色，緑色，青色の３色のレーザ光は、３個のダイクロイックミラー１９，２０，２１により、波長に関して選択的に反射・透過させられて結合光学系２２に達し、合波されて集光される。結合光学系２２により集光されたレーザ光は、光ファイバケーブル４に入射する。
【００３２】
このように、光源部７から光ファイバケーブル４に入射するレーザ光は、強度変調された各色のレーザ光が合波されたものである。なお、各色のレーザ部１１，１２，１３からのレーザ光を光源部７からの出射光として出射させるための光学系の構成は、各色のレーザ部１１，１２，１３から出射される各色のレーザ光が波長に関して選択的に反射・透過させられる構成であれば限定されるものではない。以上のように、光源部７は、制御部５から入力される画像信号Ｓに応じた強度のレーザ光を出射する。
【００３３】
投影ユニット３は、ＲＳＤ１において光源部７と観察者の眼１０との間に位置する。投影ユニット３は、コリメート光学系３１と、水平走査部３２と、第１リレー光学系３３と、垂直走査部３４と、第２リレー光学系３５とを有する。
【００３４】
コリメート光学系３１は、光源部７で生成され光ファイバケーブル４から出射されるレーザ光を平行光化する。水平走査部３２は、コリメート光学系３１で平行光化されたレーザ光を画像表示のために水平方向に往復走査する。第１リレー光学系３３は、水平走査部３２と垂直走査部３４との間に設けられ、水平走査部３２と垂直走査部３４との間でレーザ光を中継する。
【００３５】
垂直走査部３４は、水平走査部３２で水平方向に走査されたレーザ光を垂直方向に走査する。第２リレー光学系３５は、水平走査部３２及び垂直走査部３４によって水平方向と垂直方向に走査されたレーザ光を、投影ユニット３から外部へと出射させるためのものである。
【００３６】
水平走査部３２及び垂直走査部３４、ならびに第１リレー光学系３３は、光ファイバケーブル４から出射したレーザ光を、画像として観察者の網膜１０ｂに投影可能な状態とするために、水平方向と垂直方向に走査して走査光束とするための光走査装置及び光学系である。つまり、本実施形態では、水平走査部３２及び垂直走査部３４を含む構成が、光源部７から出射されたレーザ光を２次元走査する走査部として機能する。以下の説明では、水平走査部３２及び垂直走査部３４を含む構成を総称して「走査部」という。
【００３７】
水平走査部３２は、共振型の偏向素子３２ａと、水平走査駆動回路３２ｂとを備える。偏向素子３２ａは、レーザ光を水平方向に走査するため偏向面を有する。水平走査駆動回路３２ｂは、偏向素子３２ａを共振させて偏向素子３２ａの偏向面（反射面）を揺動させる駆動信号を生成する。水平走査駆動回路３２ｂは、偏向素子３２ａに対する駆動信号を、駆動信号供給回路８から入力される水平駆動信号３６に基づいて生成する。
【００３８】
一方、垂直走査部３４は、非共振型の偏向素子３４ａと、垂直走査駆動回路３４ｂとを備える。偏向素子３４ａは、レーザ光を垂直方向に走査するため偏向面（反射面）を有する。垂直走査駆動回路３４ｂは、偏向素子３４ａの偏向面を非共振状態で揺動させる駆動信号を生成する。垂直走査駆動回路３４ｂは、偏向素子３４ａに対する駆動信号を、駆動信号供給回路８から入力される垂直駆動信号３７に基づいて生成する。
【００３９】
垂直走査部３４は、表示すべき画像の１フレーム毎に、画像を形成するためのレーザ光を最初の水平走査線から最後の水平走査線に向かって垂直に走査する。これにより、２次元走査された画像が形成される。ここで「水平走査線」とは、水平走査部３２による水平方向への１走査を意味する。
【００４０】
第１リレー光学系３３は、水平走査部３２が有する偏向素子３２ａの偏向面によって水平方向に走査されたレーザ光を、垂直走査部３４が有する偏向素子３４ａの偏向面に収束させる。そして、偏向素子３４ａの偏向面に収束したレーザ光が、偏向素子３４ａの偏向面によって垂直方向に走査され、画像光Ｌｘを形成する。
【００４１】
第２リレー光学系３５は、正の屈折力を持つ２つのレンズとして、直列配置される補正レンズ３８と接眼レンズ４０とを有する。画像光Ｌｘとしてのレーザ光は、第２リレー光学系３５を介した後、ＲＳＤ１が備えるハーフミラー１５により反射させられて、観察者の瞳孔１０ａに入射する。画像光Ｌｘが瞳孔１０ａに入射することにより、網膜１０ｂ上に、画像信号Ｓに応じた表示画像が投影される。このようにして、観察者は、画像光Ｌｘを表示画像として認識する。
【００４２】
本実施形態では、第２リレー光学系３５を構成する接眼レンズ４０、及びハーフミラー１５を含む構成が、走査部で走査されたレーザ光を投射対象に投射する投射部として機能する。本実施形態では、投射部によりレーザ光が投射される投射対象は、観察者の眼１０の網膜１０ｂである。
【００４３】
また、ハーフミラー１５は、外光Ｌｙを透過させて観察者の眼１０に入射させる。これにより、観察者は、外光Ｌｙにより認識される背景に、画像光Ｌｘによる画像を重ねて視認することができる。このように、本実施形態のＲＳＤ１は、投影ユニット３から出射される画像光Ｌｘを観察者の眼１０に走査しつつ投射するとともに、外光Ｌｙを透過させるシースルー型である。ただし、ＲＳＤ１はシースルー型である必要はない。
【００４４】
第２リレー光学系３５の光の入射側に位置する補正レンズ３８は、画像光により表示される画像の曲面補正を行うためのレンズである。接眼レンズ４０は、走査部で走査されたレーザ光である画像光Ｌｘを観察者の眼１０に入射させる。このように、接眼レンズ４０は、観察者の網膜１０ｂ上に画像信号Ｓに応じた画像を投影する接眼光学系として機能する。
【００４５】
第２リレー光学系３５においては、補正レンズ３８と接眼レンズ４０との間に、中間像面が形成される。中間像面は、観察者の網膜１０ｂ上に形成される最終像面と光学的に共役な関係を有する。つまり、ＲＳＤ１の光学系において中間像面を形成するレーザ光は、接眼レンズ４０を介して観察者の眼１０に入射し、網膜１０ｂ上にて最終像面を形成する。
【００４６】
そして、ＲＳＤ１は、補正レンズ３８と接眼レンズ４０との間の中間像面が形成される位置に、遮光マスク５０を備える。遮光マスク５０は、ＲＳＤ１において、走査部と接眼レンズ４０との間に形成される像面位置に配置される。つまり、ここでいう像面位置とは、第２リレー光学系３５において中間像面が形成される位置である。
【００４７】
［ＲＳＤの制御構成］
図２を用いて、ＲＳＤ１の制御構成について説明する。図２に示すように、制御部５は、主コントローラ６１と、ＲＳＤ表示用コントローラ６２と、ＲＳＤ用ＶＲＡＭ（Ｖｉｄｅｏ  Ｒａｎｄｏｍ  Ａｃｃｅｓｓ  Ｍｅｍｏｒｙ）６３と、周辺機器Ｉ／Ｆ（インターフェース、以下同じ。）６４とを具備する。
【００４８】
主コントローラ６１は、ＣＰＵ（Ｃｅｎｔｒａｌ  Ｐｒｏｃｅｓｓｉｎｇ  Ｕｎｉｔ）６６と、不揮発性メモリであるプログラムＲＯＭ（Ｒｅａｄ  Ｏｎｌｙ  Ｍｅｍｏｒｙ）６７と、フラッシュＲＯＭ（フラッシュメモリ）６８と、ＲＡＭ（Ｒａｎｄｏｍ  Ａｃｃｅｓｓ  Ｍｅｍｏｒｙ）６９とを有する。ＣＰＵ６６、プログラムＲＯＭ６７、フラッシュＲＯＭ６８、及びＲＡＭ６９は、それぞれデータ通信用のバスに接続され、このバスを介して各種情報の送受信を行う。
【００４９】
ＣＰＵ６６は、ＲＳＤ１が備える各種機能を実行させる演算処理装置である。ＣＰＵ６６は、プログラムＲＯＭ６７に記憶されている制御プログラムを実行することにより、ＲＳＤ１を構成する各部を動作させる。フラッシュＲＯＭ６８は、入出力端子等を介して制御部５に外部接続された機器類から供給される画像データや、予め記憶されたコンテンツ情報に基づく画像データ等の各種画像データを記憶する。
【００５０】
ＲＳＤ表示用コントローラ６２は、主コントローラ６１からの要求に応じて表示部９を制御する。ここで、表示部９は、本実施形態のＲＳＤ１が備える投影ユニット３及び光源ユニット６を含む構成である。ＲＳＤ表示用コントローラ６２は、主コントローラ６１によりＲＳＤ用ＶＲＡＭ６３に記憶された画像データに基づく画像信号Ｓを表示部９に供給する。
【００５１】
表示部９は、ＲＳＤ表示用コントローラ６２からの画像信号Ｓの入力を受けると、入力された画像信号Ｓに基づいて強度変調した各色のレーザ光を生成する。表示部９は、生成したレーザ光を、走査部によって走査して、観察者の眼１０に出射することで、観察者の網膜１０ｂに画像信号Ｓに応じた画像を投影する。このように、主コントローラ６１は、画像を表示させる制御を行う。
【００５２】
周辺機器Ｉ／Ｆ６４は、電源スイッチ７０、電源ランプ７１、及び操作パネル７２を含む周辺機器を、コントロールユニット２に接続するためのインターフェースである。主コントローラ６１は、例えば、電源スイッチ７０からの操作情報を周辺機器Ｉ／Ｆ６４から受け取り、受け取った操作情報に応じた処理を行う。また、主コントローラ６１は、例えば、処理状況に応じて周辺機器Ｉ／Ｆ６４を介して電源ランプ７１の点灯情報を電源ランプ７１に供給する。
【００５３】
以上のような構成を備えるＲＳＤ１は、例えば、投影ユニット３を含む構成を支持する眼鏡型のフレームを備えることで、観察者の頭部に装着されるヘッドマウントディスプレイを構成する。
【００５４】
遮光マスク５０について説明する。図３に示すように、遮光マスク５０は、走査部によって走査されたレーザ光によって形成される像（以下「表示画像」という。）５３の周囲を囲んで遮光する。遮光マスク５０は、矩形の枠状に形成される板状の遮光部材であり、矩形の囲繞形状を有する。表示画像５３は、上述のとおり第２リレー光学系３５において形成される中間像面である。
【００５５】
このように、遮光マスク５０は、有効走査範囲で走査されたレーザ光を通過させる開口部５１と、有効走査範囲外で走査された検査用レーザ光を遮光する遮光部５２とを有し、有効走査範囲で走査されたレーザ光によって形成される表示画像５３の周囲を囲む形状を有する。なお、ＲＳＤ１において、遮光マスク５０が設けられる位置には、入射するレーザ光を分岐させて接眼レンズ４０により形成される光学瞳の実効径を拡大する回折格子等の瞳拡大素子が開口部５１に対応して設けられてもよい。
【００５６】
ここで、ＲＳＤ１における有効走査範囲について説明する。有効走査範囲とは、水平走査部３２及び垂直走査部３４のそれぞれの偏向素子３２ａ，３４ａがレーザ光を走査できる最大の範囲（以下「最大走査範囲」という。）のうち、実際に光源部７から画像信号Ｓに応じて強度変調されたレーザ光（以下「画像形成用レーザ光」という。）が出射される範囲である。つまり、画像形成用レーザ光は、走査部の偏向素子３２ａ，３４ａによる走査位置が所定の範囲として定められる有効走査範囲にあるタイミングで出射される。有効走査範囲は、表示画像５３が形成される範囲に対応し、最大走査範囲は、遮光マスク５０の外形の範囲と略一致する。
【００５７】
これにより、走査部の偏向素子３２ａ，３４ａによって画像形成用レーザ光が有効走査範囲で走査され、１フレーム分の画像形成用レーザ光が有効走査範囲内で走査される。この走査が１フレームの画像ごとに繰り返される。このように走査部により２次元方向に走査された画像形成用レーザ光は、第２リレー光学系３５及びハーフミラー１５を介してユーザの網膜１０ｂ上で走査され、画像が投影される。これにより、観察者によって画像信号Ｓに応じた画像が視認される。
【００５８】
また、図１及び図３に示すように、ＲＳＤ１は、第２リレー光学系３５において、光検出部３９を有する。光検出部３９は、走査部による画像形成用レーザ光の走査タイミングを検出するためのものである。ＲＳＤ１においては、光検出部３９により、駆動信号供給回路８からの駆動信号に基づいて光源部７から出射されるタイミング検出用のレーザ光が検出されることで、光源部７からの画像形成用レーザ光の出射タイミングが調整される。
【００５９】
光検出部３９は、最大走査範囲のうち有効走査範囲の外の範囲である無効走査範囲で走査されたタイミング検出用のレーザ光が入射する位置に配置される。本実施形態では、光検出部３９は、遮光マスク５０に対してレーザ光が入射する側であって、遮光マスク５０の遮光部５２の部分に設けられる。つまり、ＲＳＤ１においては、遮光マスク５０が、光検出部３９を保持するための部材として用いられている。遮光マスク５０は、光検出部３９との関係において、無効走査範囲における光検出部３９の背後に設けられ、有効走査範囲の外の範囲で走査されたタイミング検出用のレーザ光が観察者の眼１０に入射するのを防止する。
【００６０】
図３に示すように、光検出部３９は、タイミング検出用のレーザ光を検出するためのＢＤセンサ３９ａを有する。ＢＤセンサ３９ａは、受光した光の強度に応じた電流をＢＤ信号として出力する。光検出部３９は、タイミング検出用のレーザ光の入射を受けると、ＢＤセンサ３９ａにより、ＢＤ信号を駆動信号供給回路８へ出力する。駆動信号供給回路８は、光検出部３９からのＢＤ信号に基づき、光源部７から出射する各色のレーザ光の出射開始タイミングを調整する。このように、ＲＳＤ１においては、光検出部３９により、タイミング検出用のレーザ光に基づいて、画像形成用レーザ光の出射タイミングが調整される。
【００６１】
以上のように、本実施形態のＲＳＤ１においては、遮光マスク５０は、走査部と投射部との間に形成される像面位置に設けられる。ここで、走査部と投射部との間に形成される像面位置とは、中間像面の位置に相当する。遮光マスク５０によれば、表示画面における表示画像以外の邪魔な光が遮光される。
【００６２】
図４に示すように、遮光マスク５０によれば、ＲＳＤ１の最終像面位置にある投射対象において、有効走査範囲で走査されたレーザ光により形成される表示画像７５の他、遮光マスク５０による遮光部分として、額縁状の枠画像７６が表示される。そして、表示画像７５と枠画像７６との間の隙間領域７７の明度と、枠画像７６の明度とが異なることから、これらの間の境界７６ａが視認されてしまう。
【００６３】
枠画像７６が発生する原因は、必ずしも明らかではないが、中間像面位置の遮光マスク５０と表示画像５３とが中間像面位置と最終像面位置との間にある光学系を構成する接眼レンズ４０及びハーフミラー１５を含む投射部を通して見えてしまうことが主な原因であると考えられる。なお、表示画像７５は、中間像面を形成するレーザ光が観察者の眼１０に入射することで網膜１０ｂ上に形成される最終像面に相当する。
【００６４】
以上のように、遮光マスク５０を備えるＲＳＤ１においては、画像光が網膜１０ｂ上で結像することで形成される画像に関し、光学系で発生した歪曲収差によって表示画像７５や枠画像７６が歪曲する場合がある。この歪曲は、好ましくないので、表示画像７５が、遮光マスク５０の後段の光学系によって歪まないよう光学系の歪みを補正するのが一般的であるが、表示画像７５より外側の枠画像７６までは歪みを補正しきれず歪曲が残る場合が多くなる。このように補正しきれずに残った枠画像７６の歪曲は、視覚的に見苦しく見える懸念があり、また、本来歪んでいないはずの表示画像７５が歪曲して見えてしまう懸念もある。
【００６５】
図５に、光学系の歪曲収差による枠画像７６の歪曲の一例を示す。図５は、枠画像７６について縦方向及び横方向のそれぞれに糸巻型の歪みが生じた場合を示している。枠画像７６が歪曲すると、表示画像７５と枠画像７６との間に生じる隙間領域７７も歪曲し、視覚的に見苦しく見えるだけでなく、表示画像７５も歪曲したような錯覚を観察者に与える懸念もある。
【００６６】
遮光マスク５０により形成される枠画像７６の歪曲補正については、接眼レンズ４０の径を大きくする必要が生じたり、光学的な特性にかかる設計上の負担が大きくなったりすることから、遮光マスク５０の後段の接眼レンズ４０を含む光学系による光学的な補正だけで対応することは困難である。そこで、本実施形態のＲＳＤ１は、次のような構成を備える。
【００６７】
本実施形態のＲＳＤ１においては、ＲＳＤ１において中間像面が形成される位置に配置される遮光マスク５０が、枠画像７６について生じる光学的な歪みを打ち消すような形状とされる。ここで、枠画像７６について生じる光学的な歪みは、遮光マスク５０の位置、つまり中間像面が形成される位置から、レーザ光の投射対象である観察者の眼１０の網膜１０ｂまでの光学系の歪曲収差によって生じる歪みである。
【００６８】
すなわち、ＲＳＤ１においては、枠画像７６について生じる光学的な歪みを見越して、枠画像７６について光学的な歪みが生じた結果、枠画像７６が歪んでいない形状、つまり表示画像７５に沿う矩形状となるように、遮光マスク５０の形状が予め調整される。言い換えると、ＲＳＤ１においては、遮光マスク５０として、枠画像７６について生じる光学的な歪みを打ち消すことができる形状を有するものが用いられる。
【００６９】
遮光マスク５０の形状の設定について、図５に示すように、枠画像７６について糸巻型の歪みが生じた場合を例に説明する。図５に示す枠画像７６は、縦方向及び横方向それぞれについて外形が内側に凸となるように弓形に沿った形状となるように歪曲している。つまりこの場合、仮に歪んでいない矩形状に沿う遮光マスク５０が用いられると、光学的な収差により、遮光マスク５０により形成される枠画像７６が、図５に示すような糸巻型の歪曲形状となる。
【００７０】
そこで、本例の場合、遮光マスク５０として、図６に示すような形状を有するものが用いられる。図６に示す遮光マスク５０は、遮光マスク５０により形成される枠画像７６について図５に示すような糸巻型の歪曲をキャンセルするような形状を有する。つまり、図６に示す遮光マスク５０は、表示画像５３の周囲を囲む囲繞形状が、遮光マスク５０から投射対象である観察者の眼１０の網膜１０ｂまでの光学系によって発生する光学的な歪方向と逆向きに歪ませた形状を有する。
【００７１】
図６に示す遮光マスク５０は、縦方向及び横方向それぞれについて枠状を形成する部分が外側に凸となるように弓形に沿った形状を有する。図６に示すように予め歪曲した形状を有する遮光マスク５０が用いられることで、遮光マスク５０により形成される枠画像７６に光学的な歪曲収差が作用する結果、枠画像７６の歪みが打ち消され、図４に示すような矩形状の枠画像７６が得られる。
【００７２】
なお、図６に示す遮光マスク５０は、外形形状及び開口部５１の形状、つまり遮光部５２の内側及び外側のいずれについても歪んだ形状を有するが、開口部５１の形状だけを歪ませてもよい。遮光マスク５０を予め歪ませる場合、遮光マスク５０によるレーザ光の遮光機能が確保される必要がある。
【００７３】
このように、遮光マスク５０の形状を枠画像７６に生じる歪曲を打ち消すことができる形状とすることは、遮光マスク５０から投射対象までの光学系の歪曲収差によって発生する枠画像７６の歪み量（以下「枠歪み量」という。）に基づいて行われる。つまり、遮光マスク５０として予め歪んだ形状のものを用いるに際しては、枠歪み量が算出され、算出された歪み量に基づいて、遮光マスク５０を歪ませる量（以下「マスク歪み量」という。）が決定される。
【００７４】
枠歪み量の計算方法の一例について説明する。本例に係る枠歪み量の計算方法では、図７に示すように、枠画像７６を形成する内側の枠線である、枠画像７６と隙間領域７７との境界７６ａに関し、図中Ｘ方向に対応する水平方向及び図中Ｙ方向に対応する垂直方向それぞれの方向について、中心位置の頂点位置に対するずれ量が、枠画像７６の歪曲度合いとして算出される。ここで、枠画像７６と隙間領域７７との境界７６ａは、遮光マスク５０の開口部５１を形成する辺の形状に対応する。
【００７５】
図７に示すように、Ｘ方向については、枠画像７６のＹ方向の中心位置（点Ｐ１参照）と、枠画像７６の頂点の位置（点Ｐ０参照）とのＸ方向の位置の差ΔＸが、Ｘ方向のずれ量として算出される。また、Ｙ方向については、枠画像７６のＸ方向の中心位置（点Ｐ２参照）と、枠画像７６の頂点の位置（点Ｐ０参照）とのＹ方向の位置の差ΔＹが、Ｙ方向のずれ量として算出される。なお、Ｙ方向の中心位置（点Ｐ１）、及びＸ方向の中心位置（点Ｐ２）の位置は、それぞれ枠画像７６の中心位置（点Ｃ参照）のＹ方向の位置、及びＸ方向の位置に対応する。
【００７６】
枠歪み量の計算について、図８及び図９を用いてより詳細に説明する。図８は、枠画像７６と隙間領域７７との境界７６ａの形状についての２次元データの一例である。図８は、ＲＳＤ１における最終像面の位置での４分の１画面に相当する部分のうち、向かって右上の部分を示す（図７、破線部分Ｑ参照）。したがって、図８に示すグラフにおける原点の位置は、枠画像７６の中心位置（図７、点Ｃの参照）に対応する。
【００７７】
図８において、折れ線８１は、枠画像７６と隙間領域７７との境界７６ａに対応する。また、折れ線８１において、頂点Ｒ０は、境界７６ａの頂点Ｐ０（図７）に、点Ｒ１は、境界７６ａのＹ方向の中心位置Ｐ１（図７、以下「水平方向位置」とする。）に、点Ｒ２は、境界７６ａのＸ方向の中心位置Ｐ２（図７、以下「垂直方向位置」とする。）に、それぞれ対応する。
【００７８】
そして、図８に示すように、折れ線８１において、頂点Ｒ０の座標を（ｘ０，ｙ０）とし、水平方向位置Ｒ１の座標を（ｘ１，ｙ１）とし、垂直方向位置Ｒ２の座標を（ｘ２，ｙ２）とする。ここで、水平方向位置Ｒ１の座標（ｘ１，ｙ１）に関しては、ｙ１＝０であり、垂直方向位置Ｒ２の座標（ｘ２，ｙ２）に関しては、ｘ２＝０である。なお、図８に示す折れ線８２は、枠画像７６に囲まれる表示画像７５の外形に対応する。
【００７９】
図８に示すように、水平方向位置Ｒ１のＸ座標ｘ１の値は、頂点Ｒ０のＸ座標ｘ０の値よりも小さい。また、垂直方向位置Ｒ２のＹ座標ｙ２の値は、頂点Ｒ０のＹ座標ｙ０の値よりも小さい。したがって、図８に示すデータにおける枠画像７６の歪曲は、全体として図５に示すような糸巻型の歪曲である。
【００８０】
枠歪み量の計算方法について、図８に示すデータに基づき、図９に示すフロー図を用いて説明する。本例に係る枠歪み量の計算方法においては、まず、最終像面での水平方向位置Ｐ１の座標（ｘ１，ｙ１）が算出される（Ｓ１０）。ここでは、上述のとおりｙ１＝０であるため、実質的にはｘ１についての算出が行われる。
【００８１】
次に、最終像面での垂直方向位置Ｐ２の座標（ｘ２，ｙ２）が算出される（Ｓ２０）。ここでは、上述のとおりｘ２＝０であるため、実質的にはｙ２についての算出が行われる。
【００８２】
続いて、最終像面での頂点位置Ｐ０の座標（ｘ０，ｙ０）が算出される（Ｓ３０）。
【００８３】
なお、水平方向位置Ｒ１の座標（ｘ１，ｙ１）、垂直方向位置Ｒ２の座標（ｘ２，ｙ２）、頂点Ｒ０の座標（ｘ０，ｙ０）の算出に際しては、接眼レンズ４０の設計レンズデータが用いられる（Ｓ１５）。具体的には、システムデータ上で設定される接眼レンズ４０の画角が入射画角として用いられ、枠画像７６と隙間領域７７との境界７６ａの点Ｐ０，Ｐ１，Ｐ２の各点に対応する対角方向、水平方向、垂直方向の各方向についての像高に基づき、水平方向及び垂直方向それぞれについての座標が算出される。
【００８４】
そして、水平方向及び垂直方向の各方向の枠歪み量の計算が行われる（Ｓ４０）。水平方向の歪み量Δｘについては、Δｘ＝ｘ０−ｘ１により計算される。また、垂直方向の歪み量Δｙについては、Δｙ＝ｙ０−ｙ２により計算される。
【００８５】
このようにして算出されたΔｘ及びΔｙの値が、枠歪み量とされる（Ｓ５０）。つまり、ここで算出された枠歪み量が、マスク歪み量として、遮光マスク５０の設計に用いられる。
【００８６】
以上のような枠歪み量の計算は、例えば、制御部５に予め記憶されている光学設計プログラムに基づいて行われる。なお、枠歪み量の計算方法は、本例に限定されるものではない。例えば、上述したような計算方法で用いた枠画像７６の頂点Ｐ０以外の他の３つの頂点を基準とするずれ量を算出し、複数の計算値の平均値を、枠歪み量としてもよい。
【００８７】
以上のようにして算出された枠歪み量に基づいて、遮光マスク５０の形状が決定される。つまり、算出された枠歪み量とは逆方向の歪みが、遮光マスク５０の囲繞形状に予め反映される。
【００８８】
図１０及び図１１に、枠画像７６の歪み形状と、その枠画像７６の歪み形状から上述したような枠歪み量の計算方法から導かれる遮光マスク５０の歪み形状を例示する。図１０及び図１１の各図において、（ａ）は、図５と同様に、図４のような歪みのない枠画像７６が光学系の歪曲収差を受けた枠画像７６の歪曲の一例を示し、（ｂ）は、図６と同様に、枠画像７６の歪曲に対応する遮光マスク５０の形状を示す。すなわち、図１０及び図１１の各図において、（ａ）に示すような歪み形状が光学系によって枠画像７６に生じる場合、（ｂ）に示すように、枠画像７６について発生する歪み方向と逆向きに歪ませた遮光マスク５０が用いられることで、図４に示すように、枠画像７６の歪曲収差が補正される。
【００８９】
続いて、遮光マスク５０の形状を予め歪曲させておき枠画像７６を補正するだけでなく、表示画像７５も予め歪曲させておく制御を行う場合の実施例について説明する。本実施形態のＲＳＤ１においては、枠画像７６については、遮光マスク５０の形状によって機械的に補正されるのに対し、枠画像７６に囲まれる表示画像７５については、電子的な制御のもとで補正される。すなわち、上述した説明では、表示画像７５は遮光マスク５０の後段の光学系では歪まない前提、言い換えれば、表示画像７５は歪まないよう前記光学系の歪みが補正されている前提であったが、走査部により走査されるレーザ光により形成される表示画像７５が遮光マスク５０の後段の光学系で歪む（歪みが残っている）場合には、制御部５による画像処理によって、表示画像７５の歪みを補正することができる。
【００９０】
表示画像７５の電子的な制御による補正としては、表示画像７５について生じる光学的な歪みを打ち消すような形状とすることが行われる。ここで、表示画像７５について生じる光学的な歪みは、遮光マスク５０の位置、つまり中間像面が形成される位置から、レーザ光の投射対象である観察者の眼１０の網膜１０ｂまでの光学系の歪曲収差によって生じる歪みである。
【００９１】
すなわち、ＲＳＤ１においては、表示画像７５について生じる光学的な歪みを見越して、表示画像７５について光学的な歪みが生じた結果、表示画像７５が歪んでいない形状、つまり矩形状となるように、表示画像７５の形状が電子的に補正される。
【００９２】
具体的には、例えば、図１２に示すように、最終像面に相当する表示画像７５について糸巻型の歪みが生じた場合を例に説明する。つまり、図１２に示す表示画像７５は、縦方向及び横方向それぞれについて内側に凸となるように弓形に沿った形状となるように歪曲している。なお、本例においては、図１２に示すように、枠画像７６についても、表示画像７５と同様に糸巻型の歪みが生じている。
【００９３】
そこで、本例の場合、図１３に示すように、遮光マスク５０が設けられる位置における表示画像５３が、電子的な制御により、表示画像７５について図１２に示すような糸巻型の歪曲をキャンセルするような形状とされる。つまり、図１３に示す表示画像５３は、遮光マスク５０から投射対象までの光学系によって発生する光学的な歪方向と逆向きに歪ませた形状を有する。
【００９４】
図１３に示す表示画像５３は、縦方向及び横方向それぞれについて各辺部が外側に凸となるように弓形に沿った形状を有する。図１３に示すように表示画像５３が電子的な制御により予め歪曲した形状とされることで、光学的な歪曲収差が作用する結果、表示画像７５の歪みが打ち消され、図４に示すような矩形状の表示画像７５が得られる。なお、この場合においても、枠画像７６の歪みについては、上述したように遮光マスク５０の形状の設定によって機械的に補正される。
【００９５】
このような表示画像５３の形状についての電子的な制御による補正は、制御部５において行われる。制御部５において、ＣＰＵ６６が、フラッシュＲＯＭ６８に記憶されているコンテンツ情報に基づき、画像信号Ｓで決定される画像を歪ませて、図１３に示すように、表示画像５３を歪ませた画像に変換する画像処理を行う。ここでは、表示画像５３を形成する画像データが、二次元方向に拡大や縮小等させられることで、枠画像７６における歪みを打ち消すような形状のデータ構造に変換される。
【００９６】
ＣＰＵ６６による画像処理結果は、ＲＳＤ用ＶＲＡＭ６３に展開される。制御部５は、ＲＳＤ表示用コントローラ６２により、ＲＳＤ用ＶＲＡＭ６３に展開された画像データに基づいて、画像信号Ｓを生成する。そして、制御部５は、生成した画像信号Ｓを表示部９に供給し、光源ユニット６の光源部７から、歪んだ画像としての表示画像５３を形成するレーザ光を出射させる。
【００９７】
本例では、画像データの補正としては、矩形状のデータ構造から、図１３の表示画像５３に示すように、水平方向及び垂直方向について各方向の中心位置を重点的に膨張させる補正が行われる。このような画像データの補正に際しては、表示画像７５についての歪み量が予め算出され、算出された歪み量に基づき、画像データの補正が行われる。なお、表示画像７５の歪み量の計算方法としては、例えば上述したような枠歪み量の計算方法と同様の手法を用いることができる。ただし、表示画像７５の歪み量の計算方法は特に限定されるものではない。
【００９８】
このように、ＲＳＤ１においては、制御部５は、中間像面位置で形成される像である表示画像５３が、遮光マスク５０から投射対象である観察者の眼１０の網膜１０ｂまでの光学系によって発生する光学的な歪方向と逆向きに歪ませた形状となるような画像信号Ｓを生成する。そして、制御部５は、生成した画像信号Ｓに応じた強度のレーザ光を、光源部７から出射させる。
【００９９】
また、本実施形態のＲＳＤ１においては、遮光マスク５０の形状の調整による枠画像７６の形状の補正が不十分である場合、その補正が不十分な枠画像７６の形状に合わせて、表示画像７５も歪んだ状態となるように、表示画像５３が電子的に補正される。
【０１００】
具体的には、例えば、図１４に示すように、枠画像７６について、光学的な歪みが完全に相殺できない場合、枠画像７６に歪みが残る。本例では、図１４に示すように、枠画像７６と隙間領域７７との境界７６ａにおいて、水平方向及び垂直方向について、外側に凸となるように弓形に沿った形状が残っている。
【０１０１】
この場合、図１５に示すように、表示画像７５の形状が、歪みが残存する枠画像７６の形状に合わせた形状となるように、表示画像５３が電子的に補正される。つまり、表示画像７５の外形線７５ａが、枠画像７６と隙間領域７７との境界７６ａに沿う形状となるように、表示画像５３が電子的に補正される。このような表示画像５３の形状についての電子的な制御による補正は、前述したように制御部５により行われる。
【０１０２】
このように、ＲＳＤ１においては、制御部５は、中間像面位置で形成される像である表示画像５３が、光学的な歪を完全に相殺できない場合の遮光マスク５０の囲繞形状に沿う形状となるような画像信号Ｓを生成する。そして、制御部５は、生成した画像信号Ｓに応じた強度のレーザ光を、光源部７から出射させる。
【０１０３】
また、本実施形態のＲＳＤ１においては、遮光マスク５０内に表示される表示画像５３の表示位置が、遮光マスク５０の囲繞形状の中心位置に対してずれている場合、表示画像５３の位置が補正されるように、遮光マスク５０の内側に形成される表示画像５３の位置が変更される。
【０１０４】
具体的には、例えば、図１６に示すように、遮光マスク５０の開口部５１の中心位置Ｃａと、表示画像５３の中心位置Ｃｂとがずれている場合、表示画像５３は、遮光マスク５０の囲繞形状に対して片寄った位置に存在する。
【０１０５】
この場合、図１７に示すように、表示画像５３の位置が、遮光マスク５０の内側における中心に位置するように、表示画像５３を表示する位置が補正される。つまり、表示画像５３の中心位置Ｃｂが、遮光マスク５０の開口部５１の中心位置Ｃａと一致するように、表示画像５３を表示する位置が補正される。
【０１０６】
このような表示画像５３の表示位置の変更は、制御部５によって光源部７からのレーザ光の出射の制御により、画像形成用レーザ光の有効走査範囲が変更されることで行われる。すなわち、制御部５からの画像信号Ｓに基づき、駆動信号供給回路８により、水平走査部３２及び垂直走査部３４に対する駆動信号が生成される構成において、画像形成用レーザ光が出射されるタイミングが、走査部の偏向素子３２ａ，３４ａによる走査位置との関係において変更されることにより、表示画像５３の表示位置が変更される。
【０１０７】
このような表示画像５３の表示位置の補正に際しては、表示画像５３についての遮光マスク５０に対するずれ量が予め算出され、算出されたずれ量に基づき、表示画像５３の表示位置の補正が行われる。なお、表示画像５３の歪み量の計算方法は特に限定されるものではない。
【０１０８】
このように、ＲＳＤ１においては、制御部５は、光源部７からのレーザ光の出射を制御して、中間像面位置で形成される表示画像５３の位置を変更する。
【０１０９】
以上説明したように、本実施形態に係るＲＳＤ１によれば、以下の効果が期待できる。
【０１１０】
（１）本実施形態に係るＲＳＤ１は、光源部７と、画像信号Ｓに応じた強度のレーザ光を光源部７から出射させる制御部５と、光源部７から出射されたレーザ光を２次元走査する走査部と、走査部で走査されたレーザ光を投射対象である観察者の眼１０の網膜１０ｂに投射する投射部と、遮光マスク５０とを備える。遮光マスク５０は、走査部と投射部との間に形成される中間像面位置に設けられ、走査部によって走査されたレーザ光によって形成される表示画像５３の周囲を囲む。そして、遮光マスク５０による表示画像５３の周囲を囲む囲繞形状は、遮光マスク５０から投射対象までの光学系によって発生する光学的な歪方向と逆向きに歪ませた形状とされている。これにより、光学系の大型化を招いたり、光学系に設計上の余分な負担を与えたりすることなく、遮光マスク５０によって発生する枠画像７６の形状に生じる歪みを低減することができる。
【０１１１】
具体的には、遮光マスク５０によって最終像面位置に表示される枠画像７６の歪みが、遮光マスク５０の形状により機械的に補正されることによって、表示画像５３の外側に位置する枠画像７６について光学的な補正を省略することができる。これにより、遮光マスク５０の後段の光学系について、例えば接眼レンズ４０等の大型化や、例えば解像度等の光学的な特性を得ることが困難になるといった不具合をともなうことなく、視覚的な画面の歪みの原因となる枠画像７６の歪みを低減することができる。
【０１１２】
（２）また、本実施形態に係るＲＳＤ１においては、制御部５は、中間像面位置で形成される表示画像５３が、遮光マスク５０から投射対象までの光学系によって発生する光学的な歪方向と逆向きに歪ませた形状となるような画像信号Ｓを生成する。これにより、遮光マスク５０の後段の光学系について、小型化や製造コストの低減を図ることができる。
【０１１３】
（３）また、本実施形態に係るＲＳＤ１においては、制御部５は、中間像面位置で形成される表示画像５３が、光学的な歪を完全に相殺できない場合の遮光マスク５０の囲繞形状に沿う形状となるような画像信号Ｓを生成する。これにより、遮光マスク５０の後段の光学系の要求精度が緩和し、画像の見え方が綺麗になる。
【０１１４】
（４）また、本実施形態に係るＲＳＤ１においては、制御部５は、光源部７からのレーザ光の出射を制御して、中間像面位置で形成される表示画像５３の位置を変更する。これにより、遮光マスク５０の後段の光学系の要求精度が緩和し、画像の見え方が綺麗になる。
【０１１５】
（５）また、本実施形態に係るＲＳＤ１においては、投射対象を、観察者の少なくとも一方の眼１０の網膜１０ｂとし、走査部によって走査されたレーザ光を、投射部により網膜１０ｂに入射して、画像を表示する。これにより、画像表示装置の中でも小型化の要請が高いＲＳＤ１において、小型化に貢献することができる。
【符号の説明】
【０１１６】
１      ＲＳＤ（画像表示装置）
５      制御部
７      光源部
１０    眼
１０ｂ  網膜
１５    ハーフミラー
３２    水平走査部
３４    垂直走査部
４０    接眼レンズ
５０    遮光マスク
５３    表示画像
７６    枠画像
７６ａ  境界
Ｓ      画像信号
【図１】
2011191454.tif 000003
【図２】
2011191454.tif 000004
【図３】
2011191454.tif 000005
【図４】
2011191454.tif 000006
【図５】
2011191454.tif 000007
【図６】
2011191454.tif 000008
【図７】
2011191454.tif 000009
【図８】
2011191454.tif 000010
【図９】
2011191454.tif 000011
【図１０】
2011191454.tif 000012
【図１１】
2011191454.tif 000013
【図１２】
2011191454.tif 000014
【図１３】
2011191454.tif 000015
【図１４】
2011191454.tif 000016
【図１５】
2011191454.tif 000017
【図１６】
2011191454.tif 000018
【図１７】
2011191454.tif 000019
【図１８】
2011191454.tif 000020